(57)【要約】【課題】視聴の自由度を高めることができる映像表示装置を提供する。【解決手段】映像表示装置１００は、第１の映像を示す倍速映像信号Ｖ１’と、第１の映像のうち所定の領域をダミー映像で置き換えて生成された第２の映像を示す倍速映像信号Ｖ２’とを、所定の周期信号に従って交互に切り替える映像信号切替部２４と、映像信号切替部２４による倍速映像信号Ｖ１’，Ｖ２’の切り替えに応じて、第１の映像と第２の映像とを交互に表示する映像表示部２６と、映像表示部２６に第１の映像が表示されているときに所定のＩＤ情報を有するシャッタ付きメガネのシャッタを開放させ且つ映像表示部２６に第２の映像が表示されているときに所定のＩＤ情報を有するシャッタ付きメガネのシャッタを閉鎖させる動作信号を所定のＩＤ情報を有するシャッタ付きメガネのシャッタ制御装置に送信する動作信号送信部２２とを備える。【選択図】図１
2014103452.tif 000002
【特許請求の範囲】
【請求項１】
第１の映像と、前記第１の映像のうち所定の領域をダミー映像で置き換えて生成された第２の映像とを、所定の周期信号に従って交互に切り替えて表示する映像表示部と、
前記映像表示部に前記第１の映像が表示されているときに所定のＩＤ情報を有するシャッタ付きメガネのシャッタを開放させ且つ前記映像表示部に前記第２の映像が表示されているときに前記所定のＩＤ情報を有するシャッタ付きメガネのシャッタを閉鎖させると共に、前記映像表示部に前記第１及び第２の映像が表示されているときに前記所定のＩＤ情報とは異なる他のＩＤ情報を有するシャッタ付きメガネのシャッタを開放させる動作信号を前記各シャッタ付きメガネのシャッタ制御装置に送信する動作信号送信部とを備える、映像表示装置。
【請求項２】
前記第２の映像のうちの前記ダミー映像は、前記第１の映像のうち所定の領域における各画素をＮＯＴ演算するか、又は、前記第１の映像のうち所定の領域における各画素の階調値を最大階調値から減算する処理を各画素ごとに行うことにより得られる、請求項１記載の装置。
【請求項３】
第１の映像と、前記第１の映像のうち所定の領域をダミー映像で置き換えて生成された第２の映像とを、所定時間の間、所定の周期信号に従って交互に切り替えて表示した後に、第３の映像と、前記第３の映像のうち所定の領域をダミー映像で置き換えて生成された第４の映像とを、所定時間の間、所定の周期信号に従って交互に切り替えて表示する映像表示部と、
前記映像表示部に前記第１及び第２の映像が交互に表示されているときに、第１のＩＤ情報を有するシャッタ付きメガネのシャッタを前記第１の映像の表示期間に開放させ且つ前記第２の映像の表示期間に閉鎖させると共に、前記第１のＩＤ情報とは異なる他のＩＤ情報を有するシャッタ付きメガネのシャッタを前記第１及び第２の映像の表示期間に開放させる第１の動作信号を前記各シャッタ付きメガネのシャッタ制御装置に送信することと、前記映像表示部に前記第３及び第４の映像が交互に表示されているときに、第２のＩＤ情報を有するシャッタ付きメガネのシャッタを前記第３の映像の表示期間に開放させ且つ前記第４の映像の表示期間に閉鎖させると共に、前記第２のＩＤ情報とは異なる他のＩＤ情報を有するシャッタ付きメガネのシャッタを前記第３及び第４の映像の表示期間に開放させる第２の動作信号を前記各シャッタ付きメガネのシャッタ制御装置に送信することと、を行う動作信号送信部とを備える、映像表示装置。
【請求項４】
前記第２の映像のうちの前記ダミー映像は、前記第１の映像のうち所定の領域における各画素をＮＯＴ演算するか、又は、前記第１の映像のうち所定の領域における各画素の階調値を最大階調値から減算する処理を各画素ごとに行うことにより得られ、
前記第４の映像のうちの前記ダミー映像は、前記第３の映像のうち所定の領域における各画素をＮＯＴ演算するか、又は、前記第３の映像のうち所定の領域における各画素の階調値を最大階調値から減算する処理を各画素ごとに行うことにより得られる、請求項３に記載の装置。
【請求項５】
第１の映像と、前記第１の映像のうち所定の領域を他の映像で書き換えて生成された第２の映像とを、所定の周期信号に従って交互に切り替えて表示する映像表示部と、
前記映像表示部に前記第１の映像が表示されているときに所定のＩＤ情報を有するシャッタ付きメガネのシャッタを開放させ且つ前記映像表示部に前記第２の映像が表示されているときに前記所定のＩＤ情報を有するシャッタ付きメガネのシャッタを閉鎖させると共に、前記映像表示部に前記第１の映像が表示されているときに前記所定のＩＤ情報とは異なる他のＩＤ情報を有するシャッタ付きメガネのシャッタを閉鎖させ且つ前記映像表示部に前記第２の映像が表示されているときに前記他のＩＤ情報を有するシャッタ付きメガネのシャッタを開放させる動作信号を前記各シャッタ付きメガネのシャッタ制御装置に送信する動作信号送信部とを備える、映像表示装置。
【請求項６】
第１の映像と、前記第１の映像のうち所定の領域を他の映像で書き換えて生成された第２の映像とを、所定時間の間、所定の周期信号に従って交互に切り替えて表示した後に、第３の映像と、前記第３の映像のうち所定の領域を他の映像で書き換えて生成された第４の映像とを、所定時間の間、所定の周期信号に従って交互に切り替えて表示する映像表示部と、
前記映像表示部に前記第１及び第２の映像が交互に表示されているときに、第１のＩＤ情報を有するシャッタ付きメガネのシャッタを前記第１の映像の表示期間に開放させ且つ前記第２の映像の表示期間に閉鎖させると共に、前記第１のＩＤ情報とは異なる他のＩＤ情報を有するシャッタ付きメガネのシャッタを前記第１の映像の表示期間に閉鎖させ且つ前記第２の映像の表示期間に開放させる第１の動作信号を前記各シャッタ付きメガネのシャッタ制御装置に送信することと、前記映像表示部に前記第３及び第４の映像が交互に表示されているときに、第２のＩＤ情報を有するシャッタ付きメガネのシャッタを前記第３の映像の表示期間に開放させ且つ前記第４の映像の表示期間に閉鎖させると共に、前記第２のＩＤ情報とは異なる他のＩＤ情報を有するシャッタ付きメガネのシャッタを前記第３の映像の表示期間に閉鎖させ且つ前記第４の映像の表示期間に開放させる第２の動作信号を前記各シャッタ付きメガネのシャッタ制御装置に送信することと、を行う動作信号送信部とを備える、映像表示装置。
【請求項７】
請求項１〜６のいずれか一項に記載の前記映像表示装置が表示する映像を見るために用いられるシャッタ付きメガネのシャッタを制御する装置であって、
前記動作信号送信部からＩＤ情報と共に動作信号を受信する動作信号受信部と、
前記シャッタ付きメガネに設定されているＩＤ情報と、前記動作信号受信部で受信した前記動作信号に含まれるＩＤ情報とが一致しているか否かを判定し、その判定結果と、前記動作信号受信部で受信した動作信号とに基づいてシャッタを開閉させるシャッタ制御部とを備える、装置。
【請求項８】
映像表示装置と、前記映像表示装置が表示する映像を見る際に用いられ、所定のＩＤ情報を有するシャッタ付きメガネと、前記映像表示装置が表示する映像を見る際に用いられ、前記所定のＩＤ情報とは異なる他のＩＤ情報を有するシャッタ付きメガネとを備える映像提供システムであって、
前記映像表示装置は、
第１の映像と、前記第１の映像のうち所定の領域をダミー映像で置き換えて生成された第２の映像とを、所定時間の間、所定の周期信号に従って交互に切り替えて表示する映像表示部と、
前記映像表示部に前記第１及び第２の映像が交互に表示されているときに、前記所定のＩＤ情報を有するシャッタ付きメガネのシャッタを前記第１の映像の表示期間に開放させ且つ前記第２の映像の表示期間に閉鎖させると共に、前記他のＩＤ情報を有するシャッタ付きメガネのシャッタを前記第１及び第２の映像の表示期間に開放させる動作信号を、前記所定のＩＤ情報と共に前記各シャッタ付きメガネに送信する動作信号送信部とを有し、
前記シャッタ付きメガネは、
前記動作信号送信部から前記所定のＩＤ情報と共に前記動作信号を受信する動作信号受信部と、
前記シャッタ付きメガネに設定されているＩＤ情報と、前記動作信号受信部で受信した前記動作信号に含まれる前記所定のＩＤ情報とが一致しているか否かを判断し、一致している場合には、前記動作信号に基づいて、シャッタを前記第１の映像の表示期間に開放させ且つ前記第２の映像の表示期間に閉鎖させると共に、一致していない場合には、前記動作信号に基づいて、シャッタを前記第１及び第２の映像の表示期間に開放させるシャッタ制御部とを有する、システム。
【請求項９】
映像表示装置と、前記映像表示装置が表示する映像を見る際に用いられ、所定のＩＤ情報を有するシャッタ付きメガネと、前記映像表示装置が表示する映像を見る際に用いられ、前記所定のＩＤ情報とは異なる他のＩＤ情報を有するシャッタ付きメガネとを備える映像提供システムであって、
前記映像表示装置は、
第１の映像と、前記第１の映像のうち所定の領域を他の映像で書き換えて生成された第２の映像とを、所定時間の間、所定の周期信号に従って交互に切り替えて表示する映像表示部と、
前記映像表示部に前記第１及び第２の映像が交互に表示されているときに、前記所定のＩＤ情報を有するシャッタ付きメガネのシャッタを前記第１の映像の表示期間に開放させ且つ前記第２の映像の表示期間に閉鎖させると共に、前記他のＩＤ情報を有するシャッタ付きメガネのシャッタを前記第１の映像の表示期間に閉鎖させ且つ前記第２の映像の表示期間に開放させる動作信号を、前記所定のＩＤ情報と共に前記各シャッタ付きメガネに送信する動作信号送信部とを有し、
前記シャッタ付きメガネは、
前記動作信号送信部から前記所定のＩＤ情報と共に前記動作信号を受信する動作信号受信部と、
前記シャッタ付きメガネに設定されているＩＤ情報と、前記動作信号受信部で受信した前記動作信号に含まれる前記所定のＩＤ情報とが一致しているか否かを判断し、一致している場合には、前記動作信号に基づいて、シャッタを前記第１の映像の表示期間に開放させ且つ前記第２の映像の表示期間に閉鎖させると共に、一致していない場合には、前記動作信号に基づいて、シャッタを前記第１の映像の表示期間に閉鎖させ且つ前記第２の映像の表示期間に開放させるシャッタ制御部とを有する、システム。
【請求項１０】
第１の映像と、前記第１の映像のうち所定の領域をダミー映像で置き換えて生成された第２の映像とを、所定の周期信号に従って交互に切り替えて映像表示部に表示する第１のステップと、
動作信号送信部により、前記映像表示部に前記第１の映像が表示されているときに所定のＩＤ情報を有するシャッタ付きメガネのシャッタを開放させ且つ前記映像表示部に前記第２の映像が表示されているときに前記所定のＩＤ情報を有するシャッタ付きメガネのシャッタを閉鎖させると共に、前記映像表示部に前記第１及び第２の映像が表示されているときに前記所定のＩＤ情報とは異なる他のＩＤ情報を有するシャッタ付きメガネのシャッタを開放させる動作信号を前記各シャッタ付きメガネのシャッタ制御装置に送信する第２のステップとを含む、信号送信方法。
【請求項１１】
前記第２の映像のうちの前記ダミー映像は、前記第１の映像のうち所定の領域における各画素をＮＯＴ演算するか、又は、前記第１の映像のうち所定の領域における各画素の階調値を最大階調値から減算する処理を各画素ごとに行うことにより得られる、請求項１０に記載の方法。
【請求項１２】
第１の映像と、前記第１の映像のうち所定の領域をダミー映像で置き換えて生成された第２の映像とを、所定の周期信号に従って交互に切り替えて映像表示部に表示する第１のステップと、
第３の映像と、前記第３の映像のうち所定の領域をダミー映像で置き換えて生成された第４の映像とを、所定の周期信号に従って交互に切り替えて前記映像表示部に表示する第２のステップと、
前記映像表示部に前記第１及び第２の映像が交互に表示されているときに、第１のＩＤ情報を有するシャッタ付きメガネのシャッタを前記第１の映像の表示期間に開放させ且つ前記第２の映像の表示期間に閉鎖させると共に、前記第１のＩＤ情報とは異なる他のＩＤ情報を有するシャッタ付きメガネのシャッタを前記第１及び第２の映像の表示期間に開放させる第１の動作信号を前記各シャッタ付きメガネのシャッタ制御装置に送信することを動作信号送信部により行う第３のステップと、
前記映像表示部に前記第３及び第４の映像が交互に表示されているときに、第２のＩＤ情報を有するシャッタ付きメガネのシャッタを前記第３の映像の表示期間に開放させ且つ前記第４の映像の表示期間に閉鎖させると共に、前記第２のＩＤ情報とは異なる他のＩＤ情報を有するシャッタ付きメガネのシャッタを前記第３及び第４の映像の表示期間に開放させる第２の動作信号を前記各シャッタ付きメガネのシャッタ制御装置に送信することを動作信号送信部により行う第４のステップとを含む、信号送信方法。
【請求項１３】
前記第２の映像のうちの前記ダミー映像は、前記第１の映像のうち所定の領域における各画素をＮＯＴ演算するか、又は、前記第１の映像のうち所定の領域における各画素の階調値を最大階調値から減算する処理を各画素ごとに行うことにより得られ、
前記第４の映像のうちの前記ダミー映像は、前記第３の映像のうち所定の領域における各画素をＮＯＴ演算するか、又は、前記第３の映像のうち所定の領域における各画素の階調値を最大階調値から減算する処理を各画素ごとに行うことにより得られる、請求項１２に記載の方法。
【請求項１４】
第１の映像と、前記第１の映像のうち所定の領域を他の映像で書き換えて生成された第２の映像とを、所定の周期信号に従って交互に切り替えて映像表示部に表示する第１のステップと、
動作信号送信部により、前記映像表示部に前記第１の映像が表示されているときに所定のＩＤ情報を有するシャッタ付きメガネのシャッタを開放させ且つ前記映像表示部に前記第２の映像が表示されているときに前記所定のＩＤ情報を有するシャッタ付きメガネのシャッタを閉鎖させると共に、前記映像表示部に前記第１の映像が表示されているときに前記所定のＩＤ情報とは異なる他のＩＤ情報を有するシャッタ付きメガネのシャッタを閉鎖させ且つ前記映像表示部に前記第２の映像が表示されているときに前記他のＩＤ情報を有するシャッタ付きメガネのシャッタを開放させる動作信号を前記各シャッタ付きメガネのシャッタ制御装置に送信する第２のステップとを含む、信号送信方法。
【請求項１５】
第１の映像と、前記第１の映像のうち所定の領域を他の映像で書き換えて生成された第２の映像とを、所定の周期信号に従って交互に切り替えて映像表示部に表示する第１のステップと、
第３の映像と、前記第３の映像のうち所定の領域を他の映像で書き換えて生成された第４の映像とを、所定の周期信号に従って交互に切り替えて前記映像表示部に表示する第２のステップと、
前記映像表示部に前記第１及び第２の映像が交互に表示されているときに、第１のＩＤ情報を有するシャッタ付きメガネのシャッタを前記第１の映像の表示期間に開放させ且つ前記第２の映像の表示期間に閉鎖させると共に、前記第１のＩＤ情報とは異なる他のＩＤ情報を有するシャッタ付きメガネのシャッタを前記第１の映像の表示期間に閉鎖させ且つ前記第２の映像の表示期間に開放させる第１の動作信号を前記各シャッタ付きメガネのシャッタ制御装置に送信することを動作信号送信部により行う第３のステップと、
前記映像表示部に前記第３及び第４の映像が交互に表示されているときに、第２のＩＤ情報を有するシャッタ付きメガネのシャッタを前記第３の映像の表示期間に開放させ且つ前記第４の映像の表示期間に閉鎖させると共に、前記第２のＩＤ情報とは異なる他のＩＤ情報を有するシャッタ付きメガネのシャッタを前記第３の映像の表示期間に閉鎖させ且つ前記第４の映像の表示期間に開放させる第２の動作信号を前記各シャッタ付きメガネのシャッタ制御装置に送信することを動作信号送信部により行う第４のステップとを含む、信号送信方法。
【発明の詳細な説明】
【技術分野】
【０００１】
本発明は、映像表示装置、シャッタ付きメガネのシャッタを制御する装置、映像提供システム、及び信号送信方法に関する。
【背景技術】
【０００２】
特許文献１は、画像表示装置と、この画像表示装置と同期して液晶シャッタが動作するシャッタ付きメガネとを開示している。画像表示装置は、入力画像信号を１フレーム分記憶するメモリと、メモリから読み出された第１の画像信号、及びメモリから読み出された画像信号の輝度が変換された第２の画像信号がそれぞれ入力される合成回路と、合成回路から出力された第１及び第２の画像信号がそれぞれ第１及び第２の画像としてこの順で表示される画像表示器とを備える。
【０００３】
シャッタ付きメガネは、画像表示装置に第１の画像が表示されているときにシャッタが開放されると共に、画像表示装置に第２の画像が表示されているときにシャッタが閉鎖されるように駆動される。このシャッタ付きメガネを装着したユーザは、画像表示装置に表示された第１の画像を見ることができる。一方、シャッタ付きメガネを装着していないユーザは、第１の画像と第２の画像とが重なった灰色の無地画像を見る。従って、特許文献１に開示された画像表示装置によれば、シャッタ付きメガネを装着したユーザのみに、所望の画像を見せることができる。
【先行技術文献】
【特許文献】
【０００４】
【特許文献１】特開昭６３−３１２７８８号公報
【発明の概要】
【発明が解決しようとする課題】
【０００５】
特許文献１に記載の画像表示装置では、画面全域について第１の画像と第２の画像とが順次表示されているので、シャッタ付きメガネを装着していないユーザは画面全域について灰色の無地画像又はコントラストが低下した映像を見る。そのため、視聴の自由度が必ずしも高いとはいえなかった。
【０００６】
そこで、本発明の目的は、視聴の自由度を高めることができる映像表示装置、シャッタ付きメガネのシャッタを制御する装置、映像提供システム、及び信号送信方法を提供することにある。
【課題を解決するための手段】
【０００７】
本発明の一側面に係る映像表示装置は、第１の映像と、第１の映像のうち所定の領域をダミー映像で置き換えて生成された第２の映像とを、所定の周期信号に従って交互に切り替えて表示する映像表示部と、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１及び第２の映像が表示されているときに所定のＩＤ情報とは異なる他のＩＤ情報を有するシャッタ付きメガネのシャッタを開放させる動作信号を各シャッタ付きメガネのシャッタ制御装置に送信する動作信号送信部とを備える。
【０００８】
本発明の一側面に係る映像表示装置では、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１及び第２の映像が表示されているときに所定のＩＤ情報とは異なる他のＩＤ情報を有するシャッタ付きメガネのシャッタを開放させる動作信号を、動作信号送信部が各シャッタ付きメガネのシャッタ制御装置に送信する。そのため、所定のＩＤ情報を有するシャッタ付きメガネを装着した一のユーザは、第１の映像を見ることができる。一方、シャッタ付きメガネを装着していない他のユーザ又は所定のＩＤ情報とは異なる他のＩＤ情報を有するシャッタ付きメガネを装着した他のユーザは、第１及び第２の映像を連続して見るため、所定の領域以外は一のユーザと同じであるが所定の領域が無地の灰色又はそれに準じた映像を見ることとなる。つまり、他のユーザからは、一のユーザが見る映像の一部を隠した映像が視認される。従って、映像のうち他のユーザに見せたくない領域を部分的に隠しつつ、その他の領域については一のユーザと他のユーザとが同じ映像を見ることができるので、視聴の自由度を高めることが可能となる。例えば、本発明の一側面に係る映像表示装置を用いてビデオゲームを行う場合には、一のユーザのみが自分の手札などを見ることができ、他のユーザから手札を隠すことができる。
【０００９】
第１の映像を示す第１の映像信号と、第１の映像のうち所定の領域をダミー映像で置き換えて生成された第２の映像を示す第２の映像信号とを、所定の周期信号に従って交互に切り替える映像信号切替部をさらに備え、映像表示部は、映像信号切替部による第１及び第２の映像信号の切り替えに応じて、第１の映像と第２の映像とを交互に表示してもよい。
【００１０】
第１の映像を示す第１の映像信号に基づいて、第１の映像のうち所定の領域をダミー映像で置き換えた第２の映像を示す第２の映像信号を生成する映像生成部をさらに備えてもよい。
【００１１】
第２の映像のうちの前記ダミー映像は、第１の映像のうち所定の領域における各画素をＮＯＴ演算（反転）するか、又は、第１の映像のうち所定の領域における各画素の階調値を最大階調値から減算する処理を各画素ごとに行うことにより得られるものであってもよい。この場合、ダミー映像を生成するための計算量が極めて少なくてすむので、ハードウェアの構成を非常に簡単にできると共にハードウェアの負荷を極めて少なくできる。
【００１２】
第１の映像信号が入力される第１のフレームメモリと、第２の映像信号が入力される第２のフレームメモリとをさらに備え、映像信号切替部は、第１のフレームメモリからの第１の映像信号と、第２のフレームメモリからの第２の映像信号とを、所定の周期信号に従って交互に切り替えてもよい。
【００１３】
本発明の他の側面に係る映像表示装置は、第１の映像と、第１の映像のうち所定の領域をダミー映像で置き換えて生成された第２の映像とを、所定時間の間、所定の周期信号に従って交互に切り替えて表示した後に、第３の映像と、第３の映像のうち所定の領域をダミー映像で置き換えて生成された第４の映像とを、所定時間の間、所定の周期信号に従って交互に切り替えて表示する映像表示部と、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１及び第２の映像の表示期間に開放させる第１の動作信号を各シャッタ付きメガネのシャッタ制御装置に送信することと、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３及び第４の映像の表示期間に開放させる第２の動作信号を各シャッタ付きメガネのシャッタ制御装置に送信することと、を行う動作信号送信部とを備える。
【００１４】
本発明の他の側面に係る映像表示装置では、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１及び第２の映像の表示期間に開放させる第１の動作信号を、動作信号送信部が各シャッタ付きメガネのシャッタ制御装置に送信する。また、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３及び第４の映像の表示期間に開放させる第２の動作信号を、動作信号送信部が各シャッタ付きメガネのシャッタ制御装置に送信する。そのため、第１のＩＤ情報を有するシャッタ付きメガネを装着したユーザは、第１の映像を見ることができる。しかし、その後の第３及び第４の映像については、第１のＩＤ情報を有するシャッタ付きメガネを装着したユーザは、第３及び第４の映像を連続して見るため、所定の領域以外は他のユーザと同じであるが所定の領域が無地の灰色又はそれに準じた映像を見ることとなる。一方、第２のＩＤ情報を有するシャッタ付きメガネを装着したユーザは、まず第１及び第２の映像を連続して見るため、所定の領域以外は他のユーザと同じであるが所定の領域が無地の灰色又はそれに準じた映像を見ることとなる。しかし、その後の第３及び第４の映像については、第２のＩＤ情報を有するシャッタ付きメガネを装着したユーザは、第３の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像表示装置を用いてビデオゲームを行う場合には、手番のユーザのそれぞれが自分の手札のみを見ることができ、他のユーザから手札を隠すことができる。第１及び第２のＩＤ情報とは異なる他のＩＤ情報を有するシャッタ付きメガネを装着するユーザがさらに存在していてもよい。例えば、第３のＩＤ情報を有するシャッタ付きメガネを装着するユーザと、第４のＩＤ情報を有するシャッタ付きメガネを装着するユーザとがそれぞれ存在する場合、第３のＩＤ情報を有するシャッタ付きメガネを装着するユーザ用の第５及び第６の映像を映像表示部に表示すると共に当該シャッタ付きメガネ用の動作信号を動作信号送信部が当該シャッタ付きメガネのシャッタ制御装置に送信することと、第４のＩＤ情報を有するシャッタ付きメガネを装着するユーザ用の第７及び第８の映像を映像表示部に表示すると共に当該シャッタ付きメガネ用の動作信号を動作信号送信部が当該シャッタ付きメガネのシャッタ制御装置に送信することと、が行われてもよい。
【００１５】
第１の映像を示す第１の映像信号と、第１の映像のうち所定の領域をダミー映像で置き換えて生成された第２の映像を示す第２の映像信号とを、所定の周期信号に従って交互に切り替えると共に、第３の映像を示す第３の映像信号と、第３の映像のうち所定の領域をダミー映像で置き換えて生成された第４の映像を示す第４の映像信号とを、所定の周期信号に従って交互に切り替える映像信号切替部をさらに備え、映像表示部は、映像信号切替部による第１及び第２の映像信号の切り替えに応じて、第１の映像と第２の映像とを交互に表示した後に、映像信号切替部による第３及び第４の映像信号の切り替えに応じて、第３の映像と第４の映像とを交互に表示してもよい。
【００１６】
第１の映像を示す第１の映像信号に基づいて、第１の映像のうち所定の領域をダミー映像で置き換えた第２の映像を示す第２の映像信号を生成すると共に、第３の映像を示す第３の映像信号に基づいて、第３の映像のうち所定の領域をダミー映像で置き換えた第４の映像を示す第４の映像信号を生成する映像生成部をさらに備えてもよい。
【００１７】
第２の映像のうちのダミー映像は、第１の映像のうち所定の領域における各画素をＮＯＴ演算（反転）するか、又は、第１の映像のうち所定の領域における各画素の階調値を最大階調値から減算する処理を各画素ごとに行うことにより得られ、第４の映像のうちのダミー映像は、第３の映像のうち所定の領域における各画素をＮＯＴ演算（反転）するか、又は、第３の映像のうち所定の領域における各画素の階調値を最大階調値から減算する処理を各画素ごとに行うことにより得られるものであってもよい。この場合、ダミー映像を生成するための計算量が極めて少なくてすむので、ハードウェアの構成を非常に簡単にできると共にハードウェアの負荷を極めて少なくできる。
【００１８】
第１の映像信号が入力される第１のフレームメモリと、第２の映像信号が入力される第２のフレームメモリとをさらに備え、映像信号切替部は、第１のフレームメモリからの第１の映像信号と、第２のフレームメモリからの第２の映像信号とを、所定の周期信号に従って交互に切り替えると共に、第１のフレームメモリからの第３の映像信号と、第２のフレームメモリからの第４の映像信号とを、所定時間の間、所定の周期信号に従って交互に切り替えてもよい。
【００１９】
本発明の他の側面に係る映像表示装置は、第１の映像と、第１の映像のうち所定の領域を他の映像で書き換えて生成された第２の映像とを、所定の周期信号に従って交互に切り替えて表示する映像表示部と、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１の映像が表示されているときに所定のＩＤ情報とは異なる他のＩＤ情報を有するシャッタ付きメガネのシャッタを閉鎖させ且つ映像表示部に第２の映像が表示されているときに他のＩＤ情報を有するシャッタ付きメガネのシャッタを開放させる動作信号を各シャッタ付きメガネのシャッタ制御装置に送信する動作信号送信部とを備える。
【００２０】
本発明の他の側面に係る映像表示装置では、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１の映像が表示されているときに所定のＩＤ情報とは異なる他のＩＤ情報を有するシャッタ付きメガネのシャッタを閉鎖させ且つ映像表示部に第２の映像が表示されているときに他のＩＤ情報を有するシャッタ付きメガネのシャッタを開放させる動作信号を、動作信号送信部が各シャッタ付きメガネのシャッタ制御装置に送信する。そのため、所定のＩＤ情報を有するシャッタ付きメガネを装着したユーザは、第１の映像を見ることができる。一方、他のＩＤ情報を有するシャッタ付きメガネを装着したユーザは、第１の映像のうち一方のユーザに見せたくない領域を他の映像で書き換えた第２の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像表示装置を用いてビデオゲームを行う場合には、手番のユーザが自分の手札のみを見ることができ、他のユーザから手札を隠すことができる。
【００２１】
第１の映像を示す第１の映像信号と、第１の映像のうち所定の領域を他の映像で書き換えて生成された第２の映像を示す第２の映像信号とを、所定の周期信号に従って交互に切り替える映像信号切替部をさらに備え、映像表示部は、映像信号切替部による第１及び第２の映像信号の切り替えに応じて、第１の映像と第２の映像とを交互に表示してもよい。
【００２２】
第１の映像を示す第１の映像信号に基づいて、第１の映像のうち所定の領域を他の映像で書き換えた第２の映像を示す第２の映像信号を生成する映像生成部をさらに備えてもよい。
【００２３】
本発明の他の側面に係る映像表示装置は、第１の映像と、第１の映像のうち所定の領域を他の映像で書き換えて生成された第２の映像とを、所定時間の間、所定の周期信号に従って交互に切り替えて表示した後に、第３の映像と、第３の映像のうち所定の領域を他の映像で書き換えて生成された第４の映像とを、所定時間の間、所定の周期信号に従って交互に切り替えて表示する映像表示部と、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１の映像の表示期間に閉鎖させ且つ第２の映像の表示期間に開放させる第１の動作信号を各シャッタ付きメガネのシャッタ制御装置に送信することと、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３の映像の表示期間に閉鎖させ且つ第４の映像の表示期間に開放させる第２の動作信号を各シャッタ付きメガネのシャッタ制御装置に送信することと、を行う動作信号送信部とを備える。
【００２４】
本発明の他の側面に係る映像表示装置では、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１の映像の表示期間に閉鎖させ且つ第２の映像の表示期間に開放させる第１の動作信号を、動作信号送信部が各シャッタ付きメガネのシャッタ制御装置に送信する。また、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３の映像の表示期間に閉鎖させ且つ第４の映像の表示期間に開放させる第２の動作信号を、動作信号送信部が各シャッタ付きメガネのシャッタ制御装置に送信する。そのため、第１のＩＤ情報を有するシャッタ付きメガネを装着したユーザは、第１の映像を見ることができる。一方、他のＩＤ情報を有するシャッタ付きメガネを装着したユーザは、第１の映像のうち第１のＩＤ情報を有するシャッタ付きメガネを装着したユーザに見せたくない領域を他の映像で書き換えた第２の映像を見ることができる。また、第２のＩＤ情報を有するシャッタ付きメガネを装着したユーザは、第３の映像を見ることができる。一方、他のＩＤ情報を有するシャッタ付きメガネを装着したユーザは、第３の映像のうち第２のＩＤ情報を有するシャッタ付きメガネを装着したユーザに見せたくない領域を他の映像で書き換えた第４の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像表示装置を用いてビデオゲームを行う場合には、手番のユーザのそれぞれが自分の手札のみを見ることができ、他のユーザから手札を隠すことができる。
【００２５】
第１の映像を示す第１の映像信号と、第１の映像のうち所定の領域を他の映像で書き換えて生成された第２の映像を示す第２の映像信号とを、所定の周期信号に従って交互に切り替えると共に、第３の映像を示す第３の映像信号と、第３の映像のうち所定の領域を他の映像で書き換えて生成された第４の映像を示す第４の映像信号とを、所定の周期信号に従って交互に切り替える映像信号切替部をさらに備え、映像表示部は、映像信号切替部による第１及び第２の映像信号の切り替えに応じて、第１の映像と第２の映像とを交互に表示した後に、映像信号切替部による第３及び第４の映像信号の切り替えに応じて、第３の映像と第４の映像とを交互に表示してもよい。
【００２６】
第１の映像を示す第１の映像信号に基づいて、第１の映像のうち所定の領域を他の映像で書き換えた第２の映像を示す第２の映像信号を生成すると共に、第３の映像を示す第３の映像信号に基づいて、第３の映像のうち所定の領域を他の映像で書き換えた第４の映像を示す第４の映像信号を生成する映像生成部をさらに備えてもよい。
【００２７】
本発明の他の側面に係るシャッタ付きメガネのシャッタ制御装置は、上記の映像表示装置によって生成された映像を見るために用いられるシャッタ付きメガネのシャッタ制御装置であって、動作信号送信部からＩＤ情報と共に動作信号を受信する動作信号受信部と、シャッタ付きメガネに設定されているＩＤ情報と、動作信号受信部で受信した動作信号に含まれるＩＤ情報とが一致しているか否かを判定し、その判定結果と、動作信号受信部で受信した動作信号とに基づいてシャッタを開閉させるシャッタ制御部とを備える。
【００２８】
本発明の他の側面に係る映像提供システムは、映像表示装置と、映像表示装置が表示する映像を見る際に用いられ、所定のＩＤ情報を有するシャッタ付きメガネと、映像表示装置が表示する映像を見る際に用いられ、所定のＩＤ情報とは異なる他のＩＤ情報を有するシャッタ付きメガネとを備える映像提供システムであって、映像表示装置は、第１の映像と、第１の映像のうち所定の領域をダミー映像で置き換えて生成された第２の映像とを、所定時間の間、所定の周期信号に従って交互に切り替えて表示する映像表示部と、映像表示部に第１及び第２の映像が交互に表示されているときに、所定のＩＤ情報を有するシャッタ付きメガネのシャッタを第１の映像の表示期間に開放させ且つ第２の映像の表示期間に閉鎖させると共に、他のＩＤ情報を有するシャッタ付きメガネのシャッタを第１及び第２の映像の表示期間に開放させる動作信号を、所定のＩＤ情報と共に各シャッタ付きメガネに送信する動作信号送信部とを有し、シャッタ付きメガネは、動作信号送信部から所定のＩＤ情報と共に動作信号を受信する動作信号受信部と、シャッタ付きメガネに設定されているＩＤ情報と、動作信号受信部で受信した動作信号に含まれる所定のＩＤ情報とが一致しているか否かを判断し、一致している場合には、動作信号に基づいて、シャッタを第１の映像の表示期間に開放させ且つ第２の映像の表示期間に閉鎖させると共に、一致していない場合には、動作信号に基づいて、シャッタを第１及び第２の映像の表示期間に開放させるシャッタ制御部とを有する。
【００２９】
本発明の他の側面に係る映像提供システムでは、映像表示装置の動作信号送信部が、映像表示部に第１及び第２の映像が交互に表示されているときに、所定のＩＤ情報を有するシャッタ付きメガネのシャッタを第１の映像の表示期間に開放させ且つ第２の映像の表示期間に閉鎖させると共に、他のＩＤ情報を有するシャッタ付きメガネのシャッタを第１及び第２の映像の表示期間に開放させる動作信号を、所定のＩＤ情報と共に各シャッタ付きメガネに送信する。当該動作信号を受信したシャッタ付きメガネのシャッタ制御部は、シャッタ付きメガネに設定されているＩＤ情報と、動作信号受信部で受信した動作信号に含まれる所定のＩＤ情報とが一致しているか否かを判断し、一致している場合には、動作信号に基づいて、シャッタを第１の映像の表示期間に開放させ且つ第２の映像の表示期間に閉鎖させると共に、一致していない場合には、動作信号に基づいて、シャッタを第１及び第２の映像の表示期間に開放させる。そのため、所定のＩＤ情報を有するシャッタ付きメガネを装着したユーザは、第１の映像を見ることができる。一方、他のＩＤ情報を有するシャッタ付きメガネを装着したユーザは、第１及び第２の映像を連続して見るため、所定の領域以外は所定のＩＤ情報を有するシャッタ付きメガネを装着したユーザと同じであるが所定の領域が無地の灰色又はそれに準じた映像を見ることとなる。つまり、他のＩＤ情報を有するシャッタ付きメガネを装着したユーザからは、所定のＩＤ情報を有するシャッタ付きメガネを装着したユーザが見る映像の一部を隠した映像が視認される。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像提供システムを用いてビデオゲームを行う場合には、手番のユーザが自分の手札のみを見ることができ、他のユーザから手札を隠すことができる。
【００３０】
本発明の他の側面に係る映像提供システムは、映像表示装置と、映像表示装置が表示する映像を見る際に用いられ、所定のＩＤ情報を有するシャッタ付きメガネと、映像表示装置が表示する映像を見る際に用いられ、所定のＩＤ情報とは異なる他のＩＤ情報を有するシャッタ付きメガネとを備える映像提供システムであって、映像表示装置は、第１の映像と、第１の映像のうち所定の領域を他の映像で書き換えて生成された第２の映像とを、所定時間の間、所定の周期信号に従って交互に切り替えて表示する映像表示部と、映像表示部に第１及び第２の映像が交互に表示されているときに、所定のＩＤ情報を有するシャッタ付きメガネのシャッタを第１の映像の表示期間に開放させ且つ第２の映像の表示期間に閉鎖させると共に、他のＩＤ情報を有するシャッタ付きメガネのシャッタを第１の映像の表示期間に閉鎖させ且つ前記第２の映像の表示期間に開放させる動作信号を、所定のＩＤ情報と共に各シャッタ付きメガネに送信する動作信号送信部とを有し、シャッタ付きメガネは、動作信号送信部から所定のＩＤ情報と共に動作信号を受信する動作信号受信部と、シャッタ付きメガネに設定されているＩＤ情報と、動作信号受信部で受信した動作信号に含まれる所定のＩＤ情報とが一致しているか否かを判断し、一致している場合には、動作信号に基づいて、シャッタを第１の映像の表示期間に開放させ且つ第２の映像の表示期間に閉鎖させると共に、一致していない場合には、動作信号に基づいて、シャッタを第１の映像の表示期間に閉鎖させ且つ第２の映像の表示期間に開放させるシャッタ制御部とを有する。
【００３１】
本発明の他の側面に係る映像提供システムでは、映像表示装置の動作信号送信部が、映像表示部に第１及び第２の映像が交互に表示されているときに、所定のＩＤ情報を有するシャッタ付きメガネのシャッタを第１の映像の表示期間に開放させ且つ第２の映像の表示期間に閉鎖させると共に、他のＩＤ情報を有するシャッタ付きメガネのシャッタを第１の映像の表示期間に閉鎖させ且つ前記第２の映像の表示期間に開放させる動作信号を、所定のＩＤ情報と共に各シャッタ付きメガネに送信する。当該動作信号を受信したシャッタ付きメガネのシャッタ制御部は、シャッタ付きメガネに設定されているＩＤ情報と、動作信号受信部で受信した動作信号に含まれる所定のＩＤ情報とが一致しているか否かを判断し、一致している場合には、動作信号に基づいて、シャッタを第１の映像の表示期間に開放させ且つ第２の映像の表示期間に閉鎖させると共に、一致していない場合には、動作信号に基づいて、シャッタを第１の映像の表示期間に閉鎖させ且つ第２の映像の表示期間に開放させる。そのため、所定のＩＤ情報を有するシャッタ付きメガネを装着したユーザは、第１の映像を見ることができる。一方、他のＩＤ情報を有するシャッタ付きメガネを装着したユーザは、第１の映像のうち一方のユーザに見せたくない領域を他の映像で書き換えた第２の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像提供システムを用いてビデオゲームを行う場合には、手番のユーザが自分の手札のみを見ることができ、他のユーザから手札を隠すことができる。
【００３２】
本発明の他の側面に係る信号送信方法は、第１の映像と、第１の映像のうち所定の領域をダミー映像で置き換えて生成された第２の映像とを、所定の周期信号に従って交互に切り替えて映像表示部に表示する第１のステップと、動作信号送信部により、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１及び第２の映像が表示されているときに所定のＩＤ情報とは異なる他のＩＤ情報を有するシャッタ付きメガネのシャッタを開放させる動作信号を各シャッタ付きメガネのシャッタ制御装置に送信する第２のステップとを含む。
【００３３】
本発明の他の側面に係る信号送信方法では、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１及び第２の映像が表示されているときに所定のＩＤ情報とは異なる他のＩＤ情報を有するシャッタ付きメガネのシャッタを開放させる動作信号を、動作信号送信部により各シャッタ付きメガネのシャッタ制御装置に送信する。そのため、所定のＩＤ情報を有するシャッタ付きメガネを装着した一のユーザは、第１の映像を見ることができる。一方、シャッタ付きメガネを装着していない他のユーザ又は所定のＩＤ情報とは異なる他のＩＤ情報を有するシャッタ付きメガネを装着した他のユーザは、第１及び第２の映像を連続して見るため、所定の領域以外は一のユーザと同じであるが所定の領域が無地の灰色又はそれに準じた映像を見ることとなる。つまり、他のユーザからは、一のユーザが見る映像の一部を隠した映像が視認される。従って、映像のうち他のユーザに見せたくない領域を部分的に隠しつつ、その他の領域についてはいずれのユーザも同じ映像を見ることができるので、視聴の自由度を高めることが可能となる。例えば、本発明の他の側面に係る信号送信方法が実行される装置を用いてビデオゲームを行う場合には、一のユーザのみが自分の手札などを見ることができ、他のユーザから手札を隠すことができる。
【００３４】
第１の映像を示す第１の映像信号と、第１の映像のうち所定の領域をダミー映像で置き換えて生成された第２の映像を示す第２の映像信号とを、映像信号切替部により所定の周期信号に従って切り替えて、第１の映像と第２の映像とを映像表示部に交互に表示するステップを含んでいてもよい。
【００３５】
映像生成部により、第１の映像を示す第１の映像信号に基づいて、第１の映像のうち所定の領域をダミー映像で置き換えた第２の映像を示す第２の映像信号が生成されるステップを含んでいてもよい。
【００３６】
第２の映像のうちのダミー映像は、第１の映像のうち所定の領域における各画素をＮＯＴ演算（反転）するか、又は、第１の映像のうち所定の領域における各画素の階調値を最大階調値から減算する処理を各画素ごとに行うことにより得られるものであってもよい。この場合、ダミー映像を生成するための計算量が極めて少なくてすむので、ハードウェアの構成を非常に簡単にできると共にハードウェアの負荷を極めて少なくできる。
【００３７】
本発明の他の側面に係る信号送信方法は、第１の映像と、第１の映像のうち所定の領域をダミー映像で置き換えて生成された第２の映像とを、所定の周期信号に従って交互に切り替えて映像表示部に表示する第１のステップと、第３の映像と、第３の映像のうち所定の領域をダミー映像で置き換えて生成された第４の映像とを、所定の周期信号に従って交互に切り替えて映像表示部に表示する第２のステップと、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１及び第２の映像の表示期間に開放させる第１の動作信号を各シャッタ付きメガネのシャッタ制御装置に送信することを動作信号送信部により行う第３のステップと、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３及び第４の映像の表示期間に開放させる第２の動作信号を各シャッタ付きメガネのシャッタ制御装置に送信することを動作信号送信部により行う第４のステップとを含む。
【００３８】
本発明の他の側面に係る信号送信方法では、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１及び第２の映像の表示期間に開放させる第１の動作信号を、動作信号送信部により各シャッタ付きメガネのシャッタ制御装置に送信する。また、映像表示部に第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３及び第４の映像の表示期間に開放させる第２の動作信号を、動作信号送信部により各シャッタ付きメガネのシャッタ制御装置に送信する。そのため、第１のＩＤ情報を有するシャッタ付きメガネを装着したユーザは、第１の映像を見ることができる。しかし、その後の第３及び第４の映像については、第１のＩＤ情報を有するシャッタ付きメガネを装着したユーザは、第３及び第４の映像を連続して見るため、所定の領域以外は他のユーザと同じであるが所定の領域が無地の灰色又はそれに準じた映像を見ることとなる。一方、第２のＩＤ情報を有するシャッタ付きメガネを装着したユーザは、まず第１及び第２の映像を連続して見るため、所定の領域以外は他のユーザと同じであるが所定の領域が無地の灰色又はそれに準じた映像を見ることとなる。しかし、その後の第３及び第４の映像については、第２のＩＤ情報を有するシャッタ付きメガネを装着したユーザは、第３の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る信号送信方法が実行される装置を用いてビデオゲームを行う場合には、手番のユーザのそれぞれが自分の手札のみを見ることができ、他のユーザから手札を隠すことができる。
【００３９】
第１の映像を示す第１の映像信号と、第１の映像のうち所定の領域をダミー映像で置き換えて生成された第２の映像を示す第２の映像信号とを、映像信号切替部により所定の周期信号に従って切り替えて、第１の映像と第２の映像とを映像表示部に交互に表示するステップと、第３の映像を示す第１の映像信号と、第３の映像のうち所定の領域をダミー映像で置き換えて生成された第４の映像を示す第４の映像信号とを、映像信号切替部により所定の周期信号に従って切り替えて、第３の映像と第４の映像とを映像表示部に交互に表示するステップとを含んでいてもよい。
【００４０】
映像生成部により、第１の映像を示す第１の映像信号に基づいて、第１の映像のうち所定の領域をダミー映像で置き換えた第２の映像を示す第２の映像信号が生成されるステップと、第３の映像を示す第３の映像信号に基づいて、第３の映像のうち所定の領域をダミー映像で置き換えた第４の映像を示す第４の映像信号が生成されるステップとを含んでいてもよい。
【００４１】
第２の映像のうちのダミー映像は、第１の映像のうち所定の領域における各画素をＮＯＴ演算（反転）するか、又は、第１の映像のうち所定の領域における各画素の階調値を最大階調値から減算する処理を各画素ごとに行うことにより得られ、第４の映像のうちのダミー映像は、第３の映像のうち所定の領域における各画素をＮＯＴ演算（反転）するか、又は、第３の映像のうち所定の領域における各画素の階調値を最大階調値から減算する処理を各画素ごとに行うことにより得られるものであってもよい。この場合、ダミー映像を生成するための計算量が極めて少なくてすむので、ハードウェアの構成を非常に簡単にできると共にハードウェアの負荷を極めて少なくできる。
【００４２】
本発明の他の側面に係る信号送信方法は、第１の映像と、第１の映像のうち所定の領域を他の映像で書き換えて生成された第２の映像とを、所定の周期信号に従って交互に切り替えて映像表示部に表示する第１のステップと、動作信号送信部により、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１の映像が表示されているときに所定のＩＤ情報とは異なる他のＩＤ情報を有するシャッタ付きメガネのシャッタを閉鎖させ且つ映像表示部に第２の映像が表示されているときに他のＩＤ情報を有するシャッタ付きメガネのシャッタを開放させる動作信号を各シャッタ付きメガネのシャッタ制御装置に送信する第２のステップとを含む。
【００４３】
本発明の他の側面に係る信号送信方法では、映像表示部に第１の映像が表示されているときに所定のＩＤ情報を有するシャッタ付きメガネのシャッタを開放させ且つ映像表示部に第２の映像が表示されているときに所定のＩＤ情報を有するシャッタ付きメガネのシャッタを閉鎖させると共に、映像表示部に第１の映像が表示されているときに所定のＩＤ情報とは異なる他のＩＤ情報を有するシャッタ付きメガネのシャッタを閉鎖させ且つ映像表示部に第２の映像が表示されているときに他のＩＤ情報を有するシャッタ付きメガネのシャッタを開放させる動作信号を、動作信号送信部により各シャッタ付きメガネのシャッタ制御装置に送信する。そのため、所定のＩＤ情報を有するシャッタ付きメガネを装着したユーザは、第１の映像を見ることができる。一方、他のＩＤ情報を有するシャッタ付きメガネを装着したユーザは、第１の映像のうち一方のユーザに見せたくない領域を他の映像で書き換えた第２の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る信号送信方法が実行される装置を用いてビデオゲームを行う場合には、手番のユーザのそれぞれが自分の手札のみを見ることができ、他のユーザから手札を隠すことができる。
【００４４】
第１の映像を示す第１の映像信号と、第１の映像のうち所定の領域を他の映像で書き換えて生成された第２の映像を示す第２の映像信号とを、映像信号切替部により所定の周期信号に従って切り替えて、第１の映像と第２の映像とを映像表示部に交互に表示するステップを含んでいてもよい。
【００４５】
映像生成部により、第１の映像を示す第１の映像信号に基づいて、第１の映像のうち所定の領域を他の映像で書き換えた第２の映像を示す第２の映像信号が生成されるステップを含んでいてもよい。
【００４６】
本発明の他の側面に係る信号送信方法は、第１の映像と、第１の映像のうち所定の領域を他の映像で書き換えて生成された第２の映像とを、所定の周期信号に従って交互に切り替えて映像表示部に表示する第１のステップと、第３の映像と、第３の映像のうち所定の領域を他の映像で書き換えて生成された第４の映像とを、所定の周期信号に従って交互に切り替えて映像表示部に表示する第２のステップと、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１の映像の表示期間に閉鎖させ且つ第２の映像の表示期間に開放させる第１の動作信号を各シャッタ付きメガネのシャッタ制御装置に送信することを動作信号送信部により行う第３のステップと、映像表示部に前記第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３の映像の表示期間に閉鎖させ且つ第４の映像の表示期間に開放させる第２の動作信号を各シャッタ付きメガネのシャッタ制御装置に送信することを動作信号送信部により行う第４のステップとを含む。
【００４７】
本発明の他の側面に係る信号送信方法では、映像表示部に第１及び第２の映像が交互に表示されているときに、第１のＩＤ情報を有するシャッタ付きメガネのシャッタを第１の映像の表示期間に開放させ且つ第２の映像の表示期間に閉鎖させると共に、第１のＩＤ情報とは異なる他のＩＤ情報を有するシャッタ付きメガネのシャッタを第１の映像の表示期間に閉鎖させ且つ第２の映像の表示期間に開放させる第１の動作信号を、動作信号送信部により各シャッタ付きメガネのシャッタ制御装置に送信する。また、映像表示部に前記第３及び第４の映像が交互に表示されているときに、第２のＩＤ情報を有するシャッタ付きメガネのシャッタを第３の映像の表示期間に開放させ且つ第４の映像の表示期間に閉鎖させると共に、第２のＩＤ情報とは異なる他のＩＤ情報を有するシャッタ付きメガネのシャッタを第３の映像の表示期間に閉鎖させ且つ第４の映像の表示期間に開放させる第２の動作信号を、動作信号送信部により各シャッタ付きメガネのシャッタ制御装置に送信する。そのため、第１のＩＤ情報を有するシャッタ付きメガネを装着したユーザは、第１の映像を見ることができる。一方、他のＩＤ情報を有するシャッタ付きメガネを装着したユーザは、第１の映像のうち第１のＩＤ情報を有するシャッタ付きメガネを装着したユーザに見せたくない領域を他の映像で書き換えた第２の映像を見ることができる。また、第２のＩＤ情報を有するシャッタ付きメガネを装着したユーザは、第３の映像を見ることができる。一方、他のＩＤ情報を有するシャッタ付きメガネを装着したユーザは、第３の映像のうち第２のＩＤ情報を有するシャッタ付きメガネを装着したユーザに見せたくない領域を他の映像で書き換えた第４の映像を見ることができる。従って、映像のうち一方のユーザに見せたくない領域を部分的に隠しつつ、その他の領域についてはいずれのユーザも同じ映像を見ることができるので、視聴の自由度を高めることが可能となる。例えば、本発明の他の側面に係る映像表示装置を用いてビデオゲームを行う場合には、手番のユーザのそれぞれが自分の手札のみを見ることができ、他のユーザから手札を隠すことができる。
【００４８】
第１の映像を示す第１の映像信号と、第１の映像のうち所定の領域を他の映像で書き換えて生成された第２の映像を示す第２の映像信号とを、映像信号切替部により所定の周期信号に従って切り替えて、第１の映像と第２の映像とを映像表示部に交互に表示するステップと、第３の映像を示す第３の映像信号と、第３の映像のうち所定の領域を他の映像で書き換えて生成された第４の映像を示す第４の映像信号とを、映像信号切替部により所定の周期信号に従って切り替えて、第３の映像と第４の映像とを映像表示部に交互に表示するステップとを含んでいてもよい。
【００４９】
映像生成部により、第１の映像を示す第１の映像信号に基づいて、第１の映像のうち所定の領域を他の映像で書き換えた第２の映像を示す第２の映像信号が生成されるステップと、映像生成部により、第３の映像を示す第３の映像信号に基づいて、第３の映像のうち所定の領域を他の映像で書き換えた第４の映像を示す第４の映像信号が生成されるステップとを含んでいてもよい。
【発明の効果】
【００５０】
本発明によれば、視聴の自由度を高めることができる映像表示装置、シャッタ付きメガネのシャッタ制御装置、映像提供システム、及び信号送信方法が提供される。
【図面の簡単な説明】
【００５１】
【図１】図１は、本実施形態に係る映像表示装置の概略的な構成を示す図である。
【図２】図２は、シャッタ付きメガネ及びリモコンを示す図である。
【図３】図３は、映像表示部に表示される映像の一例とそれを見るユーザを示す図である。
【図４】図４は、２つの映像信号の切り替えを説明するためのタイミングチャートである。
【図５】図５（ａ）は映像表示部に表示される映像の一例を示し、図５（ｂ）は図５（ａ）の所定の領域が反転した状態の映像を示し、図５（ｃ）は、図５（ａ）の映像と図５（ｂ）の映像とが連続して映像表示部に表示されたときに他のユーザが視認する映像を示す。
【図６】図６は、本実施形態の他の例に係る映像表示装置の概略的な構成を示す図である。
【図７】図７（ａ）は映像表示部に表示される映像の一例を示し、図７（ｂ）は図７（ａ）の所定の領域が他の映像に書き換えられた状態の映像を示す。
【発明を実施するための形態】
【００５２】
本発明の実施形態について図面を参照して説明するが、以下の本実施形態は、本発明を説明するための例示であり、本発明を以下の内容に限定する趣旨ではない。説明において、同一要素又は同一機能を有する要素には同一符号を用いることとし、重複する説明は省略する。図面の寸法比率は図示の比率に限られるものではない。
【００５３】
まず、図１及び図２を参照して、第１実施形態に係る映像提供システム１の構成を説明する。映像提供システム１は、図１に示される映像表示装置１００と、図２に示されるシャッタ付きメガネ２００及びリモコン３００とにより構成される。
【００５４】
映像表示装置１００は、ＸＯＲゲート１０と、フレームメモリ１２Ａ，１２Ｂと、タイミング信号生成部１６と、リモコン信号受信部１８と、制御部２０と、動作信号送信部２２と、映像信号切替部２４と、映像表示部２６とを備える。映像表示装置１００は、映像表示装置１００に内蔵されたゲーム機１２０と接続されている。具体的には、ゲーム機１２０は、映像信号線によって映像表示装置１００と接続されており、ゲーム機１２０から映像表示装置１００に入力された映像信号Ｖ１は、フレームメモリ１２Ａに入力すると共に、ＸＯＲゲート１０に入力する。ゲーム機１２０は、制御用の双方向信号線によって映像表示装置１００と接続されており、制御部２０との間で信号を授受する。この信号には、映像表示装置１００に接続されているシャッタ付きメガネ２００のＩＤ信号が含まれており、ゲーム機１２０は当該ＩＤ信号の数に基づくユーザ数などを識別できる。
【００５５】
ＸＯＲゲート１０は、入力された２つの信号について排他的論理和を演算する。具体的にはＸＯＲゲート１０は、入力された２つの値のうち一つのみが真であるときに真を出力し、その他の場合には偽を出力する。ＸＯＲゲート１０には、ゲームの映像信号Ｖ１がゲーム機１２０から入力されると共に、所定の領域を示す信号が制御部２０から入力される。ＸＯＲゲート１０に入力されたこれらの信号はＸＯＲゲート１０において演算され、ＸＯＲゲート１０は、映像信号Ｖ１に基づく映像のうち所定の領域のみが反転された映像を生成すると共に当該映像を示す映像信号Ｖ２をフレームメモリ１２Ｂに出力する。
【００５６】
ここで、ゲーム機１２０から出力される映像信号としては、例えば、アスペクト比４：３、約３０フレーム／秒（６０フィールド／秒）、有効走査線数４８０本、インタレース（飛び越し走査）方式のＳＤ規格のデジタル映像信号でもよいし、アスペクト比１６：９、約６０フレーム／秒、有効走査線数１０８０本、プログレッシブ（順次走査）方式のＨＤ規格のデジタル映像信号でもよい。本実施形態では、プログレッシブ方式で且つ約６０フレーム／秒以上の非圧縮デジタル映像信号であるとよい。映像信号に基づく映像は、２階調の白黒映像でもよいし、３階調以上のグレースケール映像でもよいし、ＲＧＢの各色が例えば８ｂｉｔ（計２４ｂｉｔ）で表現されたカラー映像でもよい。
【００５７】
フレームメモリ１２Ａは、制御部２０の指示に基づき、ゲーム機１２０から出力された映像信号Ｖ１のうち１フレーム分の映像信号（フレームｎ（ｎは自然数））を所定時間記憶する。所定時間が経過すると、フレームメモリ１２Ａは、制御部２０の指示に基づき、ゲーム機１２０から出力された映像信号Ｖ１のうち続く１フレーム分の映像信号（フレームｎ＋１）を所定時間記憶する。このように、フレームメモリ１２Ａは、映像信号Ｖ１を一時的に保持するバッファとして機能する。映像信号が有するフレームレートの倍以上の速度で映像信号切替部２６がフレームメモリ１２Ａから映像信号Ｖ１を読み出す場合（フレームメモリ１２Ａから倍速で読み出された映像信号Ｖ１を倍速映像信号Ｖ１’という）には、フレームメモリ１２Ａからの読み出し前に次のフレームのデータが書き込まれないよう、２フレーム以上を記憶できる容量をフレームメモリ１２Ａが有していてもよい。
【００５８】
フレームメモリ１２Ｂは、制御部２０の指示に基づき、ＸＯＲゲート１０から出力された映像信号Ｖ２のうち１フレーム分の映像信号（フレームｎ（ｎは自然数））を所定時間記憶する。所定時間が経過すると、フレームメモリ１２Ｂは、制御部２０の指示に基づき、ＸＯＲゲート１０から出力された映像信号Ｖ２のうち続く１フレーム分の映像信号（フレームｎ＋１）を所定時間記憶する。このように、フレームメモリ１２Ｂは、映像信号Ｖ２を一時的に保持するバッファとして機能する。映像信号が有するフレームレートの倍以上の速度で映像信号切替部２６がフレームメモリ１２Ｂから映像信号Ｖ２を読み出す場合（フレームメモリ１２Ｂから倍速で読み出された映像信号Ｖ２を倍速映像信号Ｖ２’という）には、フレームメモリ１２Ｂからの読み出し前に次のフレームのデータが書き込まれないよう、２フレーム以上を記憶できる容量をフレームメモリ１２Ｂが有していてもよい。
【００５９】
タイミング信号生成部１６は、所定周期のタイミング信号Ｔを生成し、そのタイミング信号Ｔを制御部２０に送信する。
【００６０】
リモコン信号受信部１８は、リモコン３００（図２参照）から送信された遠隔操作の信号Ｒを受信し、その信号Ｒを制御部２０に送信する。信号Ｒには、例えば、映像表示装置１００及びゲーム機１２０を操作する信号が含まれる。
【００６１】
制御部２０は、フレームメモリ１２Ａ，１２Ｂに制御信号を送信して、フレームメモリ１２Ａ，１２Ｂへの映像信号Ｖ１，Ｖ２の記憶を制御する。制御部２０は、タイミング信号生成部１６で生成されたタイミング信号Ｔに基づいて映像信号切替部２４を制御して、映像信号切替部２４に入力された倍速映像信号Ｖ１’，Ｖ２’を切り替える。制御部２０は、シャッタ付きメガネ２００のシャッタをどのように開閉動作させるかを示す動作信号Ｍを生成し、その信号Ｍを動作信号送信部２２に出力する。動作信号Ｍには、シャッタ付きメガネ２００のＩＤ信号と、シャッタの動作モードを示すモード信号と、タイミング信号生成部１６で生成されたタイミング信号Ｔとが信号列として含まれる。
【００６２】
動作信号送信部２２は、制御部２０で生成された動作信号Ｍをシャッタ付きメガネ２００の動作信号受信部２１０に送信する。動作モード送信部２２から動作信号受信部２１０への動作信号Ｍの送信は、有線で行ってもよいし、無線で行ってもよい。無線による場合には、例えば、電波の到達距離が１０ｍ程度〜１００ｍ程度の無線通信方式（例えばＢｌｕｅｔｏｏｔｈ（登録商標））を利用できる。動作信号Ｍを動作モード送信部２２から動作信号受信部２１０へと例えば電波で常に送信してもよい。動作信号Ｍのうちタイミング信号を動作モード送信部２２から動作信号受信部２１０へと例えば赤外線で常に送信し、動作信号Ｍのうち他の信号を例えば電波で必要なときに送信してもよい。
【００６３】
映像信号切替部２４は、制御部２０からの制御信号に応じて、映像信号Ｖ１’と映像信号Ｖ２’とを切り替え、選択した映像信号を映像表示部２６に出力する。映像表示部２６は、例えば液晶ディスプレイやプラズマディスプレイであり、映像信号切替部２４から出力された映像信号を画面上に表示する。
【００６４】
シャッタ付きメガネ２００は、図２（ａ）に示されるように、動作信号受信部２１０と、シャッタ制御部２１２と、ＩＤ設定部２１４と、左目用シャッタＳＬ及び右目用シャッタＳＲとを備える。動作信号受信部２１０は、映像表示装置１００の動作信号送信部２２から動作信号Ｍを受信し、その動作信号Ｍをシャッタ制御部２１２に出力する。
【００６５】
シャッタ制御部２１２は、動作信号Ｍに従って、左目用シャッタＳＬの開閉動作と右目用シャッタＳＲの開閉動作とを制御する。左目用シャッタＳＬ及び右目用シャッタＳＲは、例えば通電の有無により光を透過又は遮断する液晶シャッタである。
【００６６】
ＩＤ設定部２１４は、シャッタ付きメガネ２００のＩＤ情報を記憶し、そのＩＤ情報をシャッタ制御部２１２に送信する。ＩＤ設定部２１４に記憶されるＩＤ情報の設定方法としては、シャッタ付きメガネ２００に設けられた物理的なスイッチを用いて例えば１〜４の番号の間で切り替えることにより設定してもよいし、シャッタ付きメガネ２００に設けられた特定のボタンを操作することでＩＤ番号の入力を受け付けるようにしてもよいし、シャッタ付きメガネ２００の充電用スタンドにＩＤ情報を付与しておき、当該充電用スタンドに接続した際に当該ＩＤ情報を受け取るようにしてもよいし、シャッタ付きメガネ２００の出荷時に固有のＩＤ情報を設定してもよい。シャッタ付きメガネ２００の出荷時に設定された固有のＩＤ情報の情報量が多い場合には、当該固有のＩＤ情報に対して一桁の数字を対応づけてＩＤ設定部２１４に設定し、シャッタ付きメガネ２００のシャッタＳＬ，ＳＲを制御する際には当該一桁の数字を利用するようにしてもよい。
【００６７】
ここで、シャッタ付きメガネ２００のシャッタＳＬ，ＳＲが動作される動作モードとしては、例えば以下のものがある。
（１）シャッタ付きメガネ２００に初期化信号が入力されたとき（シャッタ付きメガネ２００の電源ＯＮ直後やリセット時など）に、シャッタ付きメガネ２００に設定されているＩＤ情報にかかわらずシャッタＳＬ，ＳＲを両方とも開放しておく動作モード。
（２）指定されたＩＤ情報を記憶しているシャッタ付きメガネ２００について、特定の映像（例えば第１の映像）が映像表示部２６に表示されているときに、シャッタＳＬ，ＳＲを両方とも開放し、他の映像（例えば第２の映像）が映像表示部２６に表示されているときに、シャッタＳＬ，ＳＲを両方とも閉鎖する動作モード。
（３）指定されたＩＤ情報を記憶しているシャッタ付きメガネ２００について、特定の映像（例えば第１の映像）が映像表示部２６に表示されているときに、シャッタＳＬ，ＳＲを両方とも閉鎖し、他の映像（例えば第２の映像）が映像表示部２６に表示されているときに、シャッタＳＬ，ＳＲを両方とも開放する動作モード。
（４）指定されたＩＤ情報を記憶しているシャッタ付きメガネ２００について、特定の映像（例えば第１の映像）及び他の映像（例えば第２の映像）が映像表示部２６に表示されているときに、シャッタＳＬ，ＳＲを両方とも開放しておく動作モード。
（５）指定されたＩＤ情報を記憶しているシャッタ付きメガネ２００について、特定の映像（例えば第１の映像）が映像表示部２６に表示されているときに、シャッタＳＬ，ＳＲを両方とも開放し、他の映像（例えば第２の映像）が映像表示部２６に表示されているときに、シャッタＳＬ，ＳＲを両方とも閉鎖すると共に、指定されたＩＤ情報以外のＩＤ情報をＩＤ設定部２１４に記憶しているシャッタ付きメガネ２００について、特定の映像（例えば第１の映像）及び他の映像（例えば第２の映像）が映像表示部２６に表示されているときに、シャッタＳＬ，ＳＲを両方とも開放しておく動作モード。
（６）指定されたＩＤ情報を記憶しているシャッタ付きメガネ２００について、特定の映像（例えば第１の映像）が映像表示部２６に表示されているときに、シャッタＳＬ，ＳＲを両方とも開放し、他の映像（例えば第２の映像）が映像表示部２６に表示されているときに、シャッタＳＬ，ＳＲを両方とも閉鎖すると共に、指定されたＩＤ情報以外のＩＤ情報をＩＤ設定部２１４に記憶しているシャッタ付きメガネ２００について、特定の映像（例えば第１の映像）が映像表示部２６に表示されているときに、シャッタＳＬ，ＳＲを両方とも閉鎖し、他の映像（例えば第２の映像）が映像表示部２６に表示されているときに、シャッタＳＬ，ＳＲを両方とも開放する動作モード。
（７）３Ｄ映像として視差の異なる左目用映像と右目用映像とが交互に映像表示部２６に表示されているときに、シャッタＳＬとシャッタＳＲとを交互に開閉する動作モード。
【００６８】
リモコン３００は、ユーザからの入力に応じて映像表示装置１００又はゲーム機１２０を遠隔操作する信号Ｒを生成し、その信号Ｒをリモコン信号受信部１８に送信する。リモコン３００からリモコン信号受信部１８への信号Ｒの送信は、有線で行ってもよいし、無線で行ってもよい。無線による場合には、例えば、電波の到達距離が１０ｍ程度〜１００ｍ程度の無線通信方式（例えば赤外線通信）を利用できる。
【００６９】
続いて、図１〜図５を参照して、映像提供システム１の動作について説明する。ここでは、４人のユーザＵＡ〜ＵＤ（図３参照）がそれぞれシャッタ付きメガネ２００を装着し、リモコン３００を用いて映像表示装置１００及びゲーム機１２０を操作しつつ、ゲーム（本実施形態では一例として麻雀ゲーム）を対戦する場合について説明する。
【００７０】
まず、ユーザＵＡの手番となると、ゲーム機１２０は、ユーザＵＡの手牌が表面となると共に他のユーザＵＢ〜ＵＤの手牌が裏面となる映像を生成し（図５（ａ）参照）、当該映像を示す映像信号Ｖ１をフレームメモリ１２Ａ及びＸＯＲゲート１０にそれぞれ出力する。ゲーム機１２０は、ユーザＵＡが装着しているシャッタ付きメガネ２００のＩＤ信号及びユーザＵＡの手牌の領域ＲＡの座標を示す信号を制御部２０に出力する。制御部２０は、領域ＲＡの座標を示す信号を受信すると、当該領域ＲＡの範囲内について「１」とし当該領域ＲＡの範囲外について「０」とする反転用信号を生成し、当該反転用信号をＸＯＲゲート１０に出力する。ＸＯＲゲート１０では、入力された映像信号Ｖ１及び反転用信号に基づいて排他的論理和を演算する。その結果、映像信号Ｖ１が示す映像のうち領域ＲＡのみが反転し、領域ＲＡを除く領域が映像信号Ｖ１のままとなった映像が生成される（図５（ｂ）参照）。ＸＯＲゲート１０は、当該映像を示す映像信号Ｖ２をフレームメモリ１２Ｂに出力する。
【００７１】
続いて、制御部２０は、フレームメモリ１２Ａから倍速で読み出された倍速映像信号Ｖ１’とフレームメモリ１２Ｂから倍速で読み出された倍速映像信号Ｖ２’とを、タイミング信号Ｔに従って交互に選択するよう、映像信号切替部２４を制御する。
【００７２】
このときの映像信号切替部２４における倍速映像信号Ｖ１’，Ｖ２’の処理について、図４を参照して具体的に説明する。フレームメモリ１２Ａにはゲーム機１２０からの映像信号Ｖ１が、フレームｎ、フレームｎ＋１、フレームｎ＋２・・・の順で入力される（図４（ａ）参照）。この映像信号Ｖ１はフレームメモリ１２Ａから倍速で読み出され、倍速映像信号Ｖ１’が映像信号切替部２４に出力される（図４（ｂ）参照）。フレームメモリ１２ＢにはＸＯＲゲート１０からの映像信号Ｖ２が、フレームｎ、フレームｎ＋１、フレームｎ＋２・・・の順で入力される（図４（ｃ）参照）。この映像信号Ｖ２はフレームメモリ１２Ｂから倍速で読み出され、倍速映像信号Ｖ２’が映像信号切替部２４に出力される（図４（ｄ）参照）。映像信号切替部２４には、制御部２０からタイミング信号Ｔが入力される（図４（ｅ）参照）。図４（ｅ）に示されるように、タイミング信号Ｔは、倍速映像信号Ｖ１’，Ｖ２’のフレームレートと同じ周期で、第１の状態と第２の状態との間を遷移する。制御部２０は、タイミング信号Ｔが第１の状態にあるときに倍速映像信号Ｖ１’にスイッチングし、タイミング信号Ｔが第２の状態にあるときに倍速映像信号Ｖ２’にスイッチングするように映像信号切替部２４を制御する。これにより、映像表示部２６には、図４（ｆ）に示されるように、倍速映像信号Ｖ１’のフレームｎ、倍速映像信号Ｖ２’のフレームｎ、倍速映像信号Ｖ１’のフレームｎ＋１、倍速映像信号Ｖ２’のフレームｎ＋１・・・が順次表示される。
【００７３】
一方、制御部２０は、この映像表示部２６での映像表示の際に、シャッタ付きメガネ２００のシャッタを動作させる動作信号Ｍを生成し、シャッタ付きメガネ２００の動作信号受信部２１０に送信する。現在はユーザＵＡの手番であり、ユーザＵＡのみにユーザＵＡの手牌を見せるようにし、他のユーザＵＢ〜ＵＤからはユーザＵＡの手牌を隠したいので、動作信号Ｍには、（１）ユーザＵＡのシャッタ付きメガネ２００のＩＤ信号と、（２）（１）のＩＤ信号に関連づけられた、シャッタを開閉動作させる動作モードを示すモード信号と、（３）タイミング信号Ｔと、が信号列として含まれる。
【００７４】
ユーザＵＡのシャッタ付きメガネ２００の動作信号受信部２１０は、受信した動作信号Ｍをシャッタ制御部２１２に送信する。シャッタ制御部２１２では、入力された動作信号Ｍに含まれるＩＤ信号がＩＤ設定部２１４に記憶されている自身のＩＤ情報と一致しているかどうかを判定する。判定の結果一致している場合には、シャッタ制御部２１２では、入力された動作信号Ｍのうち当該ＩＤ信号に関連づけられたモード信号を抽出する。シャッタ制御部２１２は、抽出されたモード信号に基づいてシャッタＳＲ，ＳＬを開閉動作させることを識別すると、タイミング信号Ｔに従ってシャッタＳＲ，ＳＬを同時に開閉させる。これにより、ユーザＵＡのシャッタ付きメガネ２００のシャッタＳＲ，ＳＬは、倍速映像信号Ｖ１’に基づく映像が映像表示部２６に表示されているときに開放されると共に、倍速映像信号Ｖ２’に基づく映像が映像表示部２６に表示されているときに閉鎖される。その結果、ユーザＵＡは、倍速映像信号Ｖ１’に基づく映像（図５（ａ）参照）のみを見ることとなるので、領域ＲＡに表示される自分の手牌を視認できる。
【００７５】
一方、ユーザＵＢ〜ＵＤのシャッタ付きメガネ２００の動作信号受信部２１０は、受信した動作信号Ｍをシャッタ制御部２１２に送信する。シャッタ制御部２１２では、入力された動作信号Ｍに含まれるＩＤ信号がＩＤ設定部２１４に記憶されている自身のＩＤ情報と一致しているかどうかを判定する。判定の結果一致していない場合には、シャッタ制御部２１２では、入力された動作信号Ｍのうち当該ＩＤ信号に関連づけられたモード信号を生成する。シャッタ制御部２１２は、生成されたモード信号に基づいてシャッタＳＲ，ＳＬを開放させることを識別すると、シャッタＳＲ，ＳＬを開放させたままとする。これにより、ユーザＵＢ〜ＵＤのシャッタ付きメガネ２００のシャッタＳＲ，ＳＬは、倍速映像信号Ｖ１’，Ｖ２’に基づく各映像が映像表示部２６に表示されているときに開放される。従って、ユーザＵＢ〜ＵＤは、倍速映像信号Ｖ１’に基づく映像（図５（ａ）参照）と倍速映像信号Ｖ２’に基づく映像（図５（ｂ）参照）とを順次見ることとなるので、ユーザＵＢ〜ＵＤには、領域ＲＡが無地の灰色映像で且つ領域ＲＡを除く領域が倍速映像信号Ｖ１’に基づく映像が視認される（図５（ｃ）参照）。その結果、ユーザＵＢ〜ＵＤは、ユーザＵＡの手牌を見ることができない。
【００７６】
ユーザＵＢ〜ＵＤが手番のときにも上記と同様の動作が行われ、手番のユーザのみが自身の手牌を見ることができ、他のユーザから手番のユーザの手牌を隠すことができる。例えば、ユーザＵＢの手番のときには、ユーザＵＢが装着しているシャッタ付きメガネ２００のＩＤ信号を含む動作信号Ｍを動作信号送信部２２が動作信号受信部２１０に送信し、ゲーム機１２０は、ユーザＵＢの手牌が表面となると共に他のユーザＵＡ，ＵＣ，ＵＤの手牌が裏面となる映像を生成し、当該映像を示す映像信号Ｖ３をフレームメモリ１２Ａに出力する。ＸＯＲゲート１０では、入力された映像信号Ｖ３及び制御部２０から出力された領域ＲＢを示す信号に基づいて排他的論理和を演算して、映像信号Ｖ３が示す映像のうち領域ＲＢのみが反転し、領域ＲＢを除く領域が映像信号Ｖ３のままとなった映像を生成し、当該映像を示す映像信号Ｖ４をフレームメモリ１２Ｂに出力する。制御部２０は、フレームメモリ１２Ａから倍速で読み出された倍速映像信号Ｖ３’とフレームメモリ１２Ｂから倍速で読み出された倍速映像信号Ｖ４’とを、タイミング信号Ｔに従って交互に選択するよう、映像信号切替部２４を制御する。
【００７７】
このように、本実施形態では、映像信号Ｖ１に基づく映像が映像表示部２６に表示されているときに（映像信号切替部２４が映像信号Ｖ１’に切り替えているときに）手番のユーザＵＡのシャッタ付きメガネ２００のシャッタＳＲ，ＳＬを開放させ且つ映像信号Ｖ２に基づく映像が映像表示部２６に表示されているときに（映像信号切替部２４が映像信号Ｖ２’に切り替えているときに）手番のユーザＵＡのシャッタ付きメガネ２００のシャッタＳＲ，ＳＬを閉鎖させる動作信号Ｍを、動作信号受信部２１０を介してシャッタ制御部２１２に送信する。そのため、手番のユーザＵＡは、映像信号Ｖ１に基づく映像を見ることができる。一方、手番でない他のユーザＵＢ〜ＵＤは、映像信号Ｖ１に基づく映像及び映像信号Ｖ２に基づく映像を連続して見るため、領域ＲＡ以外はユーザＵＡと同じであるが領域ＲＡは無地の灰色映像を見ることとなる。つまり、ユーザＵＢ〜ＵＤからは、ユーザＵＡが見る映像の一部を隠した映像が視認される。従って、映像のうち他のユーザに見せたくない領域を部分的に隠しつつ、その他の領域については手番のユーザと他のユーザとが同じ映像を見ることができるので、視聴の自由度を高めることが可能となる。
【００７８】
本実施形態では、手番のユーザが装着しているシャッタ付きメガネ２００のＩＤ信号が動作信号Ｍに含まれており、シャッタ付きメガネ２００のシャッタ制御部２１２は、動作信号Ｍに含まれるＩＤ信号と、ＩＤ設定部２１４に記憶されている自身のＩＤ情報とが一致しているかどうかを判定し、その判定結果に応じてシャッタの動作を変えている。すなわち、シャッタ制御部２１２は、ＩＤ情報が一致している場合には、タイミング信号Ｔに従ってシャッタＳＲ，ＳＬを同時に開閉させ、ＩＤ情報が一致していない場合には、シャッタＳＲ，ＳＬを開放させたままとしている。そのため、映像表示装置１００から各シャッタ付きメガネ２００に１種類の信号を送るのみで、複数のシャッタ付きメガネ２００のシャッタの開閉を制御することが可能となる。
【００７９】
以上、本発明の実施形態について詳細に説明したが、本発明は上記した実施形態に限定されるものではない。例えば、上記の実施形態では映像表示部２６を備える映像表示装置１００について説明したが、映像表示部２６を備えず、スクリーンなどに映像を投影する映像投影装置（プロジェクタ）にも本発明を適用できる。すなわち、映像信号を同一装置内又は外部の装置に出力する映像信号出力装置に、本発明を適用できる。
【００８０】
上記の実施形態では、ＸＯＲゲート１０において映像信号Ｖ１から映像信号Ｖ２を生成していたが、図６に示されるように、ゲーム機１２０が、映像信号Ｖ１，Ｖ２をそれぞれ作成し、フレームメモリ１２Ａ，１２Ｂにそれぞれ出力するようにしてもよい。また、ゲーム機１２０が、２つの映像を１フレームごとに交互に出力し、それぞれの映像を示す映像信号Ｖ１，Ｖ２を映像表示装置１００のフレームメモリ１２Ａ，１２Ｂにそれぞれ出力するようにしてもよい。これらの場合、ＸＯＲゲート１０が不要となる。
【００８１】
この場合の映像提供システム１の動作について、上記の実施形態における相違点を中心に説明する。まず、ユーザＵＡの手番となると、ゲーム機１２０は、ユーザＵＡの手牌が表面となると共に他のユーザＵＢ〜ＵＤの手牌が裏面となる映像信号Ｖ１（図７（ａ）参照）と、全てのユーザＵＡ〜ＵＤの手牌が裏面となる映像信号Ｖ２（図７（ｂ）参照）とを生成し、これらの映像信号Ｖ１，Ｖ２をフレームメモリ１２Ａ，１２Ｂにそれぞれ出力する。ゲーム機１２０は、ユーザＵＡが装着しているシャッタ付きメガネ２００のＩＤ信号を制御部２０に出力する。
【００８２】
続いて、制御部２０は、フレームメモリ１２Ａからの倍速映像信号Ｖ１’とフレームメモリ１２Ｂからの倍速映像信号Ｖ２’とを、タイミング信号Ｔに従って交互に選択するよう、映像信号切替部２４を制御する。これにより、映像表示部２６には、倍速映像信号Ｖ１’のフレームｎ、倍速映像信号Ｖ２’のフレームｎ、倍速映像信号Ｖ１’のフレームｎ＋１、倍速映像信号Ｖ２’のフレームｎ＋１・・・が順次表示される。
【００８３】
一方、制御部２０は、この映像表示部２６での映像表示の際に、シャッタ付きメガネ２００のシャッタを動作させる動作信号Ｍを生成し、シャッタ付きメガネ２００の動作信号受信部２１０に送信する。ユーザＵＡのシャッタ付きメガネ２００の動作信号受信部２１０は、受信した動作信号Ｍをシャッタ制御部２１２に送信する。シャッタ制御部２１２では、入力された動作信号Ｍに含まれるＩＤ信号がＩＤ設定部２１４に記憶されている自身のＩＤ情報と一致しているかどうかを判定する。判定の結果一致している場合には、シャッタ制御部２１２では、入力された動作信号Ｍのうち当該ＩＤ信号に関連づけられたモード信号を抽出する。シャッタ制御部２１２は、抽出されたモード信号に基づいてシャッタＳＲ，ＳＬを開閉動作させることを識別すると、タイミング信号Ｔに従ってシャッタＳＲ，ＳＬを同時に開閉させる。これにより、ユーザＵＡのシャッタ付きメガネ２００のシャッタＳＲ，ＳＬは、倍速映像信号Ｖ１’に基づく映像が映像表示部２６に表示されているときに開放されると共に、倍速映像信号Ｖ２’に基づく映像が映像表示部２６に表示されているときに閉鎖される。その結果、ユーザＵＡは、倍速映像信号Ｖ１’に基づく映像（図７（ａ）参照）のみを見ることとなるので、自分の手牌を視認できる。
【００８４】
一方、ユーザＵＢ〜ＵＤのシャッタ付きメガネ２００の動作信号受信部２１０は、受信した動作信号Ｍをシャッタ制御部２１２に送信する。シャッタ制御部２１２では、入力された動作信号Ｍに含まれるＩＤ信号がＩＤ設定部２１４に記憶されている自身のＩＤ情報と一致しているかどうかを判定する。判定の結果一致していない場合には、シャッタ制御部２１２では、入力された動作信号Ｍのうち当該ＩＤ信号に関連づけられたモード信号を生成する。シャッタ制御部２１２は、生成されたモード信号に基づいてシャッタＳＲ，ＳＬを開閉動作させることを識別すると、タイミング信号Ｔに従ってシャッタＳＲ，ＳＬを同時に開閉させる。これにより、ユーザＵＢ〜ＵＤのシャッタ付きメガネ２００のシャッタＳＲ，ＳＬは、倍速映像信号Ｖ２’に基づく映像が映像表示部２６に表示されているときに開放されると共に、倍速映像信号Ｖ１’に基づく映像が映像表示部２６に表示されているときに閉鎖される。その結果、ユーザＵＢ〜ＵＤは、倍速映像信号Ｖ２’に基づく映像（図７（ｂ）参照）のみを見ることとなるので、ユーザＵＡの手牌を見ることができない。従って、この場合にも、映像のうち他のユーザに見せたくない領域を部分的に隠しつつ、その他の領域については手番のユーザと他のユーザとが同じ映像を見ることができるので、視聴の自由度を高めることが可能となる。
【００８５】
上記の実施形態では、シャッタ付きメガネ２００が、動作信号受信部２１０及びシャッタ制御部２１２を備えていたが、これらがシャッタ付きメガネとは別体であってもよい。その場合には、シャッタ付きメガネと、シャッタ付きメガネのシャッタを制御するシャッタ制御装置とを有線で接続してもよいし、無線で接続してもよい。シャッタ付きメガネを小型化及び軽量化するために、シャッタ付きメガネのシャッタを駆動させるための電力を、シャッタ付きメガネとは別体のシャッタ駆動装置から供給するようにしてもよい。
【００８６】
上記の実施形態では、四人のユーザが対戦する形式のゲームについて説明したが、二人以上のユーザが対戦する形式のゲームに本発明を適用してもよい。
【００８７】
また、成年のユーザがシャッタ付きメガネ２００を装着し、未成年のユーザがシャッタ付きメガネ２００を装着しない状態で、映像表示部２６を介してコンテンツを視聴することにより、成年のユーザにのみコンテンツの全てを視聴させ、未成年のユーザにはコンテンツの一部を隠した状態で視聴させるようにしてもよい。これにより、成年のユーザと未成年のユーザとが同じ映像を見ながら、当該映像のうち未成年のユーザに好ましくない領域を所定時間隠すことができる。
【００８８】
本実施形態に係る映像表示装置１００を用いて、２Ｄ映像や３Ｄ映像を表示させるようにしてもよい。この場合、上記の実施形態における、映像を部分的に隠すモードに加えて、２Ｄ映像モードや３Ｄ映像モードをリモコン３００により切り替えるようにしてもよい。またこの場合、２Ｄ映像や３Ｄ映像のデータは、図示しないアンテナで受信した放送信号に含まれるデータであってもよいし、情報記録媒体（例えば、光記録媒体、光磁気記録媒体、磁気記録媒体）に記録されたデータを読み出したものであってもよい。
【００８９】
上記の実施形態では、シャッタ付きメガネ２００のＩＤ信号と、シャッタの動作モードを示すモード信号と、タイミング信号Ｔとを含む動作信号Ｍを、動作信号送信部２２が動作信号受信部２１０に送信していたが、動作信号Ｍの動作信号受信部２１０への送信方法はこれに限られない。例えば、動作信号Ｍを、制御部２０がゲーム機１２０に送信した後、ゲーム機１２０が備える動作信号送信部（図示せず）が動作信号Ｍを動作信号受信部２１０に送信してもよい。また、タイミング信号Ｔについては映像表示装置１００の動作信号送信部２２から動作信号受信部２１０に送信し、他の信号についてはゲーム機１２０が備える動作信号送信部から動作信号受信部２１０に送信してもよい。
【００９０】
上記の実施形態では、ユーザＵＡの手番のときに領域ＲＡのみが反転された映像（ダミー映像）を示す映像信号Ｖ２をＸＯＲゲート１０によって生成していたが、このようなダミー映像の生成方法はこれに限られず、種々の映像生成手段を用いることができる。例えば、領域ＲＡの映像を表す各画素についてＮＯＴ演算して反転させるようにしてもよいし、領域ＲＡの映像を表す各画素の階調値を最大階調値から減算する処理を各画素毎に行うようにしてもよい。このようにすると、ダミー映像を生成するための計算量が極めて少なくてすむので、ハードウェアの構成を非常に簡単にできると共にハードウェアの負荷を極めて少なくできる。ここで、最大階調値とは、映像表示装置１００において表現可能な最大の階調値をいう。具体的には、映像表示装置１００で８ｂｉｔの映像信号を処理している場合には、０〜２５５で階調が表現されるので、２５５が最大階調値となる。また、映像表示装置１００で１０ｂｉｔの映像信号を処理している場合には、０〜１０２３で階調が表現されるので、１０２３が最大階調値となる。
【００９１】
映像信号Ｖ１に基づく映像と映像信号Ｖ２に基づく映像とが連続して映像表示部２６に表示されたときに、例えば映像のうち領域ＲＡの部分が人間の目で知覚できなければよいので、映像のうち領域ＲＡの部分を反転させなくてもよい。具体的には、映像のうち領域ＲＡの部分が、領域ＲＡの映像を表す各画素についてＮＯＴ演算してさらに定数α（αは例えば０．９〜１の範囲の数値）を乗算して得られるダミー映像であってもよい。この場合でも、同一画素間での輝度、彩度又は色相が１０％以内に抑えられる。そのため、映像のうち領域ＲＡの部分が、コントラストが極めて低下した状態となる。
【００９２】
本実施形態に係る映像表示装置１００において１画素に含まれる色としては、例えば、ＲＧＢ（赤・緑・青）や、ＲＧＢＹ（赤・緑・青・黄）や、ＲＧＢＷ（赤・緑・青・白）が挙げられる。例えば、ある画素のＲＧＢ成分が（１０，５０，１００）で表されるときに当該画素が反転されると、８ｂｉｔの場合には（２４５，２０５，１５５）となる。
【００９３】
リモコンを複数使用して映像表示装置１００やゲーム機１２０の操作をする場合には、赤外線リモコンを用いると好ましい。この場合、各赤外線リモコンの同時操作による競合を防止するために、各赤外線リモコンのキャリア周波数を異ならせ、リモコン信号受信部１８で受信した各信号Ｒを制御部２０において周波数に応じてフィルタリングすると好ましい。
【００９４】
上記の実施形態では、映像表示装置１００がゲーム機１２０を内蔵していたが、映像表示装置１００とゲーム機１２０とが別体であってもよい。この場合、映像表示装置１００とゲーム機１２０とを、ＨＤＭＩ等の映像信号線で接続すると共に、ＵＳＢ等の双方向信号線で接続するとよい。より具体的には、ゲーム機１２０が、例えば２つの映像を横に並べたサイドバイサイド方式の映像を示す映像信号を出力し、この映像信号を復号器（図示せず）で復号してそれぞれの映像を示す映像信号Ｖ１，Ｖ２を映像表示装置１００のフレームメモリ１２Ａ，１２Ｂにそれぞれ出力するようにしてもよい。
【００９５】
ユーザの手番の変更に伴う映像信号の切り替えと、それに関わる動作信号の送信のタイミングとは、入れ替えが可能である。例えば、映像信号の切り替えよりも先に動作信号をシャッタ付きメガネ２００に送る場合、手番変更後のフレームが映像表示部２６に表示される直前のフレームのタイミングでシャッタ付きメガネ２００に動作信号を送信し、手番変更後のフレームが映像表示部２６に表示され始めるタイミングで、シャッタ付きメガネ２００のシャッタの開閉方法が切り替わるようにすればよい。また、映像信号の切り替えを動作信号のシャッタ付きメガネ２００への送信よりも先に行う場合、手番変更後のフレームが１フレームだけユーザが見ることができるが、１フレームの表示時間は十分に短い時間であり、ユーザはそのフレームを認識できないため、実際には問題は生じない。ユーザの手番の変更時に、変更前のユーザの手牌を他のユーザから確実に隠すために、全員の手牌を全て伏せた状態の映像を映像表示部２６に一時的に表示させるようにしてもよい。
【００９６】
上記の実施形態では、手番のユーザが装着しているシャッタ付きメガネ２００のＩＤ信号が含まれる１種類の動作信号Ｍを複数のシャッタ付きメガネ２００に送信し、ＩＤ情報が一致しているか否かに応じてシャッタ付きメガネ２００のシャッタの動作を変えていたが、シャッタの動作モードに応じた動作信号を各シャッタ付きメガネ２００にそれぞれ送信するようにしてもよい。例えば、一のシャッタ付きメガネ２００には、タイミング信号Ｔに従ってそのシャッタＳＲ，ＳＬを同時に開閉させる動作信号を送信し、他のシャッタ付きメガネ２００には、そのシャッタＳＲ，ＳＬを開放させたままとする動作信号をそれぞれ送信するようにしてもよい。この場合にも、動作させたいシャッタ付きメガネ２００のＩＤ信号を動作信号に含ませ、ＩＤ情報が一致しているか否かを判断するようにしてもよい。
【００９７】
シャッタ付きメガネ２００に付与されるＩＤ情報としては、各シャッタ付きメガネ２００が互いに異なっていてもよい。また、複数人を含むグループ同士（例えば二人組同士）でゲームを行う場合には、同じグループに属するユーザに同じ画面を視認させる必要があるため、当該グループに属するユーザが装着している全てのシャッタ付きメガネ２００に同じＩＤ情報を設定するようにしてもよい。
【符号の説明】
【００９８】
１…映像提供システム、１０…ＸＯＲゲート、１２Ａ，１２Ｂ…フレームメモリ、１６…タイミング信号生成部、２０…制御部、２２…動作信号送信部、２４…映像信号切替部、１００…映像表示装置、１２０…ゲーム機、２００…シャッタ付きメガネ、２１０…動作信号受信部、２１２…シャッタ制御部、３００…リモコン、ＳＲ，ＳＬ…シャッタ、Ｖ１，Ｖ２…映像信号。
【図１】
2014103452.tif 000003
【図２】
2014103452.tif 000004
【図３】
2014103452.tif 000005
【図４】
2014103452.tif 000006
【図６】
2014103452.tif 000007
【図７】
2014103452.tif 000008
【図５】
2014103452.tif 000009